(57)【要約】【課題】一枚のドアとして永続的に使用できながら、幼児の移動を適切に阻止するチャイルドガードとしての機能も兼ね備えたドアの提供。【解決手段】上扉部分１と、下扉部分２と、上扉部分１の下端部１１と下扉部分２の上端部２１とをつきあわせた状態で接続解除可能に接続する接続手段４と、閉じ位置にある下扉部分２をこの閉じ位置に解除可能に位置づけるチャイルドロック手段５とを備えている。【選択図】図１
2005314952.tif 000002
【特許請求の範囲】
【請求項１】
上扉部分と、
下扉部分と、
上扉部分の下端部と下扉部分の上端部とをつきあわせた状態で接続解除可能に接続する接続手段と、
閉じ位置にある下扉部分をこの閉じ位置に解除可能に位置づけるチャイルドロック手段とを備えていることを特徴とする上下分割ドア。
【請求項２】
上扉部分にドアノブが設けてあることを特徴とする請求項１記載の上下分割ドア。
【請求項３】
上扉部分および下扉部分にドアラッチが設けてあることを特徴とする請求項１又は請求項２記載の上下分割ドア。
【請求項４】
下扉部分の高さ寸法が５５ｃｍ〜６０ｃｍの範囲であることを特徴とする請求項１から請求項３のいずれか１項に記載の上下分割ドア。
【請求項５】
下扉部分の少なくとも一部を透光性部としていることを特徴とする請求項１から請求項４のいずれか１項に記載の上下分割ドア。
【発明の詳細な説明】
【技術分野】
【０００１】
この発明は、住宅の開口部に備え付けられて用いられるドアの改良に関する。
【背景技術】
【０００２】
住宅内での幼児の予期しない移動から生じる危険を防止するものとして、ゲートないし柵状をなすチャイルドガードがしばしば利用される。これらの典型例として、特許文献１〜特許文献３に示されるものがある。
【０００３】
特許文献１に示されるものは、住居内に後付されるゲートである。特許文献２および特許文献３に示されるものは、玄関ドアとこの玄関ドアの内方に設けられる玄関ドアよりも低い補助ドアとからなるドアセットである。
【０００４】
しかるにこれらのものはいずれも、幼児が成長した場合基本的には不要となるものであり、また、そうした場合にこれらのものを取り外した場合、取り付け箇所に釘穴やネジ穴を残させてしまうものであった。また、前記ゲートや補助ドアは本来のドアとは別に取り付けられるものであるため、ドアにより塞がれる開口部にこれらの取り付けスペースを別途必要とさせるものであった。
【特許文献１】特開２０００−１３００４８号公報
【特許文献１】特許第２９６７０８４号公報
【特許文献１】特開２００１−９８８５２号公報
【発明の開示】
【発明が解決しようとする課題】
【０００５】
この発明が解決しようとする主たる問題点は、一枚のドアとして永続的に使用できながら、幼児の移動を適切に阻止するチャイルドガードとしての機能も兼ね備えたドアを提供できるようにする点にある。
【課題を解決するための手段】
【０００６】
前記問題点を解決するために、この発明にあっては、上下分割ドアを以下の（１）〜（４）の構成を備えたものとした。
（１）上扉部分と、
（２）下扉部分と、
（３）上扉部分の下端部と下扉部分の上端部とをつきあわせた状態で接続解除可能に接続する接続手段と、
（４）閉じ位置にある下扉部分をこの閉じ位置に解除可能に位置づけるチャイルドロック手段とを備えている。
【０００７】
かかるドアは、接続手段によって上扉部分と下扉部分とを接続させ合わせた状態では、一枚のドアとして機能される。すなわち、開き操作によってドアの備え付けられた開口部を全体として解放し、閉じ操作によってこの開口部を全体として閉塞する。
【０００８】
次いで、接続手段による上扉部分と下扉部分との接続を解くと共に、下扉部分を閉じ位置に位置づけ、かつ、チャイルドロック手段によってこの下扉部分の閉じ状態を維持させると共に、上扉部分を開き位置に位置づけるようにすることで、開口部の上部のみが解放された状態を作り出すことができる。下扉部分はチャイルドロック手段のロックを解かない限り開き位置に移動できないことから、幼児の様子を開放部を通じて視認できるようにしながら、あるいはまた、開放部を通じた通気や採光を確保しながら、幼児が開放部を通じてその先に入り込めないようにすることができる。
【０００９】
前記上扉部分にドアノブを設けておくこともある。
【００１０】
このようにした場合、上扉部分と下扉部分とを接続手段によって接続させた状態においては、かかるドアノブを利用して上扉部分と下扉部分とを一緒に開閉操作できると共に、上扉部分と下扉部分との接続を解き、かつ、チャイルドロック手段によって下扉部分の閉じ状態を維持させた状態においては、かかるドアノブを利用して上扉部分を容易に開閉操作することができる。
【００１１】
また、前記上扉部分および下扉部分にドアラッチを設けておくこともある。
【００１２】
このようにした場合、接続手段によって上扉部分と下扉部分とを接続させた状態においては両者を一緒に閉じ位置まで移動させることに伴ってその閉じ状態をワンタッチで維持でき、また、上扉部分と下扉部分との接続を解いた状態においては下扉部分を閉じ位置まで移動させることに伴ってその閉じ状態をワンタッチで維持でき、その後にさらにこの下扉部分の閉じ状態をチャイルドロック手段によってロックする操作をスムースに行うことができる。
【００１３】
また、前記下扉部分の高さ寸法は５５ｃｍ〜６０ｃｍの範囲としておくことが最適とされる。
【００１４】
このようにした場合、行動に予測性のない年齢の幼児（一般的には３歳未満）の下扉部分の乗り越えを確実に阻止できると共に、閉じ位置にある下扉部分の向こう側に隔離された幼児の下扉部分の先への視界を確保することができ、さらに、上扉部分を開き位置に位置づけた場合の開口部の開放面積を適切に確保することができる。また、閉じ位置にある下扉部分の成人の乗り越えにはそれが必要な場合には格別の難を生じさせることがない。
【００１５】
また、前記下扉部分の少なくとも一部に透光性部を設けさせておくこともある。
【００１６】
このようにした場合、下扉部分を閉じ位置に位置づけチャイルドロック手段によってこれを維持するようにした状態において、この下扉部分の向こう側に隔離された幼児の様子を下扉部分の手前側から伺うことができ、居住者の空間共有感、安心感が、この状態においてできる限り損なわれないようにすることができる。
【発明の効果】
【００１７】
この発明にかかる上下分割ドアは、上扉部分と下扉部分とを接続手段によって接続させ合わせることで一枚のドアとして永続的に使用することができる。また、この接続を解いて、下扉部分をチャイルドロック手段により閉じ位置に位置づけさせると共に、上扉部分を開き位置に位置づけさせることで、幼児の移動を適切に阻止するチャイルドガードとしての機能を適切に発揮する。また、住宅の開口部に取り付けられる在来の開口枠に支障なく取り付けることができる。
【発明を実施するための最良の形態】
【００１８】
以下、図１ないし図８に基づいて、この発明を実施するための最良の形態について説明する。
【００１９】
なお、ここで図１ないし図７は、実施の形態にかかるドアＤをそれぞれ示しており、また、図８は、図１ないし図７に示されるドアＤの構成の一部を変更した例を示している。
【００２０】
この実施の形態にかかる上下分割ドアＤは、住宅の開口部Ｈに備え付けられる各種のドアとして用いられるものである。
【００２１】
かかるドアＤは、上扉部分１と、下扉部分２とを備えている。上扉部分１と下扉部分２とはいずれも、開口部Ｈに備え付けられる開口枠Ｈａを構成する一対の縦枠Ｈｂの一方に対して、これらの上下方向にある一方の側縁部１０、２０を、ヒンジ手段３、図示の例では蝶番３０を介して組み付けられるようになっており、この蝶番３０によって前記開口部Ｈを塞いだ閉じ位置とこの開口部Ｈを解放させた開き位置との間で回動されるようになっている。すなわち、かかるドアＤは、上扉部分１を独立して回動できるようにしていると共に、下扉部分２を独立して回動できるようにしてあり、両者を共に閉じ位置に位置づけた状態で前記開口部Ｈの全体を塞ぎ、両者を共に開き位置に位置づけた状態でこの開口部Ｈの全体を開放させるように構成されている。
【００２２】
また、かかるドアＤは、上扉部分１の下端部１１と下扉部分２の上端部２１とをつきあわせた状態で接続解除可能に接続する接続手段４を有している。
【００２３】
図示の例では、かかる接続手段４を、
上扉部分１の背面１２（閉じ位置にある上扉部分１をこの上扉部分１の開き出し側から見た場合に裏側に位置される面）であって、この上扉部分１の下端部１１側に設けられた丸落４０と、
下扉部分２の背面２２であって、この下扉部分２の上端部２１側に設けられると共に、前記丸落４０を構成するロックピン４０ａの下端部４０ｂが上方から入れ込まれる受け入れ部４１ａを備えたこのロックピン４０ａの下端部４０ｂの受け金具４１とから構成させている。
【００２４】
かかる丸落４０は、ロックピン４０ａの保持筒部４０ｃにこのロックピン４０ａを上下動可能に入れ込ませていると共に、この保持筒部４０ｃの中間部に、ロックピン４０ａの中間部からこのロックピン４０ａの軸線方向に直交する向きに突き出すように設けられた固定桿４０ｄを上下に移動可能に入れ込ませる縦割溝４０ｅを有している。また、かかる保持筒部４０ｃは、この縦割溝４０ｅの上端に連通した上部横割溝４０ｆとこの縦割溝４０ｅの下端に連通した下部横割溝４０ｇとを有しており、縦割溝４０ｅの上部横割溝４０ｆに固定桿４０ｄを入れ込ませたロックピン４０ａの上昇位置では保持筒部４０ｃの下端からロックピン４０ａの下端部４０ｂが上扉部分１の下端部１１を越えて下方に突き出されず、したがって、このロックピン４０ａの下端部４０ｂは前記受け金具４１の受け入れ部４１ａに入り込まないが、この上昇位置にあるロックピン４０ａの固定桿４０ｄを上部横割溝４０ｆから抜け出させるようにロックピン４０ａを回動操作させて固定桿４０ｄを縦割溝４０ｅに入れ込ませた後、この固定桿４０ｄを縦割溝４０ｅの下端まで移動させると保持筒部４０ｃの下端からロックピン４０ａの下端部４０ｂが上扉部分１の下端部１１を越えて下方に突き出し、上扉部分１の下端部１１と下扉部分２の上端部２１とをつきあわせた状態においてこのロックピン４０ａの下端部４０ｂが前記受け金具４１の受け入れ部４１ａに入り込むようになっている。そして、このようにロックピン４０ａの下端部４０ｂを前記受け金具４１の受け入れ部４１ａに入り込ませた状態からその固定桿４０ｄを前記下部横割溝４０ｇに入り込ませるようにロックピン４０ａを回動させることにより、このロックピン４０ａの下降状態、つまり、丸落４０と受け金具４１とを介した上扉部分１と下扉部分２との接続状態が維持できるようになっている。
【００２５】
かかる接続手段４としては、図示した丸落４０の他、フランス落としなどの各種の接続金具を用いることができる。
【００２６】
図示の例にあっては、かかる接続手段４は、ドアＤの左右にそれぞれ設けられている。
【００２７】
また、かかるドアＤは、前記閉じ位置にある下扉部分２をこの閉じ位置に解除可能に位置づけるチャイルドロック手段５を備えている。
【００２８】
図示の例では、かかるチャイルドロック手段５を、
下扉部分２の背面２２であって、この下扉部分２の下端部２３側に設けられた丸落４０と、
床Ｙ内に埋め込み状に備え付けられると共に、前記丸落４０を構成するロックピン４０ａの下端部４０ｂが上方から入れ込まれる受け入れ部５０ａを備えたこのロックピン４０ａの下端部４０ｂの受け金具５０とから構成させている。
【００２９】
かかる丸落４０は、前記接続手段４を構成する丸落４０と実質的に同一の構造を備えたものとなっている。そして、かかる丸落４０を構成する保持筒部４０ｃの縦割溝４０ｅの上部横割溝４０ｆに固定桿４０ｄを入れ込ませたロックピン４０ａの上昇位置では保持筒部４０ｃの下端からロックピン４０ａの下端部４０ｂが下扉部分２の下端部２３を越えて下方に突き出されず、したがって、このロックピン４０ａの下端部４０ｂは床Ｙ内に埋め込み状に備え付けられた前記受け金具５０の受け入れ部５０ａに入り込まないが、この上昇位置にあるロックピン４０ａの固定桿４０ｄを上部横割溝４０ｆから抜け出させるようにロックピン４０ａを回動操作させて固定桿４０ｄを縦割溝４０ｅに入れ込ませた後、この固定桿４０ｄを縦割溝４０ｅの下端まで移動させると保持筒部４０ｃの下端からロックピン４０ａの下端部４０ｂが下扉部分２の下端部２３を越えて下方に突き出し、前記閉じ位置に下扉部分２を位置づけさせた状態においてこのロックピン４０ａの下端部４０ｂが前記受け金具５０の受け入れ部５０ａに入り込むようになっている。そして、このようにロックピン４０ａの下端部４０ｂを前記受け金具５０の受け入れ部５０ａに入り込ませた状態からその固定桿４０ｄを前記下部横割溝４０ｇに入り込ませるようにロックピン４０ａを回動させることにより、このロックピン４０ａの下降状態、つまり、この丸落４０と受け金具５０とを介した下扉部分２の閉じ位置状態が維持できるようになっている。
【００３０】
かかるチャイルドロック手段５としても、図示した丸落４０の他、フランス落としなどの各種の接続金具を用いることができる。
【００３１】
かかるドアＤは、接続手段４によって上扉部分１と下扉部分２とを接続させ合わせた状態では、一枚のドアＤとして機能される。すなわち、開き操作によってドアＤの備え付けられた開口部Ｈを全体として解放し、閉じ操作によってこの開口部Ｈを全体として閉塞する。（図１、図７）
【００３２】
次いで、接続手段４による上扉部分１と下扉部分２との接続を解くと共に、下扉部分２を閉じ位置に位置づけ、かつ、チャイルドロック手段５によってこの下扉部分２の閉じ状態を維持させると共に、上扉部分１を開き位置に位置づけるようにすることで、開口部Ｈの上部のみが解放された状態を作り出すことができる。下扉部分２はチャイルドロック手段５のロックを解かない限り開き位置に移動できないことから、幼児の様子を開放部を通じて視認できるようにしながら、あるいはまた、開放部を通じた通気や採光を確保しながら、幼児が開放部を通じてその先に入り込めないようにすることができる。（図５、図６）
【００３３】
かかるドアＤを、浴室の入り口のドアとして用いれば、浴室内外の通気を確保しながら、浴室内への幼児の予期しない進入を効果的に阻止することができる。
【００３４】
また、かかるドアＤを、階段の昇り口、あるいは、階段の降り口に設けるようにすれば、通気と採光とを確保しながら、階段内への幼児の予期しない進入を効果的に阻止することができる。
【００３５】
また、かかるドアＤを、玄関となる開口部Ｈに設けるようにすれば、通気と採光とを確保しながら、住宅外への幼児の予期しない進出を効果的に阻止することができる。
【００３６】
また、かかるドアＤを、幼児部屋のドアとして用いれば、幼児の様子を開放部を通じて視認できるようにしながら、幼児部屋の外への幼児の予期しない進出を効果的に阻止することができる。
【００３７】
すなわち、この実施の形態にかかるドアＤによれば、住宅内における幼児の予期しない移動による危険などを防止するゲートないし柵を別途設けることなく、一枚のドアＤとしても普通に使用可能なかかるドアＤによってこうした危険などを防止することができる。かかるドアＤは、幼児が成長などした場合には、通常の一枚のドアＤとして使用することができる。また、チャイルドロック手段５による下扉部分２の閉じ状態の維持を解き、下扉部分２を開き位置に位置づけさせた状態で上扉部分１を閉じ位置に位置づけさせるような使い方もでき、開口部Ｈを通じた通気を確保させながら、開口部Ｈの先が丸見えにならないような効果を作り出すこともできる。
【００３８】
かかる下扉部分２の高さ寸法は、５５ｃｍ〜６０ｃｍの範囲であることが最良とされる。このようにした場合、行動に予測性のない年齢の幼児の下扉部分２の乗り越えを確実に阻止できると共に、閉じ位置にある下扉部分２の向こう側に隔離された幼児の下扉部分２の先への視界（例えば、母親の姿など）を確保することができ、さらに、上扉部分１を開き位置に位置づけた場合の開口部Ｈの開放面積を適切に確保することができる。また、閉じ位置にある下扉部分２の成人の乗り越えにはそれが必要な場合には格別の難を生じさせることがない。
【００３９】
また、前記チャイルドロック手段５は、閉じ位置において幼児の進入を望まない側に面する下扉部分２の面に設けておくことが最良とされる。（図示の例では下扉部分２の背面２２）
【００４０】
また、図示の例にあっては、ドアノブ６を上扉部分１に設けるようにしてある。これにより、上扉部分１と下扉部分２とを接続手段４によって接続させた状態においては、かかるドアノブ６を利用して上扉部分１と下扉部分２とを一緒に開閉操作できると共に、上扉部分１と下扉部分２との接続を解き、かつ、チャイルドロック手段５によって下扉部分２の閉じ状態を維持させた状態においては、かかるドアノブ６を利用して上扉部分１を容易に開閉操作することができる。
【００４１】
また、上扉部分１には、その開き位置を維持できるように、この上扉部分１のあおり止めなどを設けておくことが最良とされる。
【００４２】
また、図示の例にあっては、上扉部分１および下扉部分２に、開口枠Ｈａの対応箇所に設けられたラッチ受け８にこれらの閉じ位置において掛合されるドアラッチ７が設けてある。これにより、接続手段４によって上扉部分１と下扉部分２とを接続させた状態においては両者を一緒に閉じ位置まで移動させることに伴ってその閉じ状態をワンタッチで維持でき、また、上扉部分１と下扉部分２との接続を解いた状態においては下扉部分２を閉じ位置まで移動させることに伴ってその閉じ状態をワンタッチで維持でき、その後にさらにこの下扉部分２の閉じ状態をチャイルドロック手段５によってロックする操作をスムースに行うことができる。
【００４３】
図８に示されるように、下扉部分２の少なくとも一部を透光性部２５としておくこともある。
【００４４】
図示の例にあっては、下扉部分２を、方形枠２４と、この方形枠２４内にはめ込まれてこの方形枠２４内を塞ぐ透光性を備えた板材２５’とにより、構成させるようにして、下扉部分２に前記透光性部２５を形成させている。かかる板材２５’としては、例えば、すり硝子や透明アクリル板などを用いることができる。さらに、上扉部分１にも同様の板材２５’によって透光性部２５を形成させるようにしておいても良い。
【００４５】
このようにした場合、下扉部分２を閉じ位置に位置づけチャイルドロック手段５によってこれを維持するようにした状態において、この下扉部分２の向こう側に隔離された幼児の様子を下扉部分２の手前側から伺うことができ、（例えば、母親などによって）居住者の空間共有感、安心感が、この状態においてできる限り損なわれないようにすることができる。
【図面の簡単な説明】
【００４６】
【図１】ドアＤの使用状態を示した正面図
【図２】同背面図
【図３】同要部背面図
【図４】同要部背面図
【図５】同正面図（上扉部分１が開き位置にある状態）
【図６】図５におけるＡ−Ａ線断面図
【図７】ドアＤの使用状態を示した正面図（上扉部分１および下扉部分２が共に開き位置にある状態）
【図８】他の実施例にかかるドアＤの正面図
【符号の説明】
【００４７】
１  上扉部分
１１  下端部
２  下扉部分
２１  上端部
４  接続手段
５  チャイルドロック手段
【図１】
2005314952.tif 000003
【図２】
2005314952.tif 000004
【図３】
2005314952.tif 000005
【図４】
2005314952.tif 000006
【図５】
2005314952.tif 000007
【図６】
2005314952.tif 000008
【図７】
2005314952.tif 000009
【図８】
2005314952.tif 000010